(57)【要約】【課題】  開封の痕跡を確実に残し、且つ、偽造品の製作を防止する携帯電話封印キットを提供する。【解決手段】  携帯電話封印キット５は、ケース５０及びカバー５５からなり内部に携帯電話９を収容可能な収納箱５００と、樹脂成形品である台座１５及びブッシング１０から構成される封印具１００とを備える。台座１５の突起部１６がケース５０及びカバー５５の留め部５２、５７に形成された挿通穴に挿通された後、ブッシング１０が突起部１６に装着されることで、携帯電話９を外部から操作不能、且つ取り出し不能に収納箱５００が封印される。開封時には台座１５の座部１９と突起部１６とを接続する接続リブが折損するため、開封の痕跡を確実に残すことができる。また、封印具１００は、樹脂成形品で構成されるため、比較的複雑な形状とすることが容易である。よって、受験者等による偽造品の製作を可及的に防止することができる。【選択図】図１
2014161571.tif 000002
【特許請求の範囲】
【請求項１】
剛性を有し、内部に携帯電話（９）を収納可能であり、収納した携帯電話を外部から操作不能とする筺体（５００、６）と、
樹脂成形品で構成され、前記筺体に収納された携帯電話を取り出し不能に封印可能であり、且つ、開封時に一部が破壊される封印手段（１００、１４０、６２１、６７）と、
を備えることを特徴とする携帯電話封印キット（５、６）。
【請求項２】
前記筺体（５００）は、
一方の側を支点（５３、５８）として開閉可能に設けられ、閉じたとき前記封印手段（１００、１４０）によって互いに連結される留め部（５２、５７）が前記支点と反対側に形成されるケース（５０）及びカバー（５５）から構成され、
前記封印手段は、
前記留め部に形成された挿通穴（５２１、５７１）に挿通される突起部（１６）、及び前記突起部を支持する座部（１９）を有する台座（１５）と、前記台座の前記突起部の先端に形成された挿入部（１７）が挿入されたとき当該挿入部の係止部（１７２）が係止可能な段部（１１２）を有するブッシング（１０）と、から構成され、
開封時に、前記台座の前記座部と前記突起部とを接続する接続リブ（１９２）が折損することを特徴とする請求項１に記載の携帯電話封印キット（５）。
【請求項３】
前記筺体（６）は、
樹脂成形品であって、互いの開口を覆うように結合可能な有底筒状の第１筒体（６０）及び第２筒体（６５）から構成され、
前記封印手段は、
前記第１筒体に一体に形成された係止爪（６２１）、及び、前記第２筒体に形成され前記第１筒体が前記第２筒体と結合するとき前記係止爪が係止する受け穴（６７）から構成され、
開封時に、前記第１筒体の前記係止爪を含む分離部（６２）の根元（６４）が折損することを特徴とする請求項１に記載の携帯電話封印キット（６）。
【請求項４】
剛性を有するケース（５０）及びカバー（５５）から構成され、内部に携帯電話（９）を収納可能であり、収納した携帯電話を外部から操作不能とする筺体（５００）と、
基材（４１）の一方の面に貼付転写層（４２）が形成されたステッカーで構成され、前記筐体の前記ケース及び前記カバーを跨いで貼り付けられることにより前記筺体に収納された携帯電話を取り出し不能に封印可能であり、且つ、開封時に、前記筐体及び当該ステッカー裏面の双方に剥離跡（４３、４４）を残す封印手段（４０）と、
を備えることを特徴とする携帯電話封印キット（５Ｓ）。
【請求項５】
前記筺体又は前記封印手段に、個体毎に異なる識別番号が付されていることを特徴とする請求項１〜４のいずれか一項に記載の携帯電話封印キット。
【請求項６】
前記筺体は、不透明であることを特徴とする請求項１〜５のいずれか一項に記載の携帯電話封印キット。
【発明の詳細な説明】
【技術分野】
【０００１】
本発明は、複数の部品一式で構成され、内部に携帯電話を収納した状態で封印可能な携帯電話封印キットに関する。
【背景技術】
【０００２】
従来、携帯電話の使用が禁止される状況において、内部に携帯電話を収納し、且つ、収納された携帯電話に対し外部からの操作を規制可能とした収納袋が知られている。例えば、特許文献１には、試験中における携帯電話を使った不正行為の防止を目的とする「不正防止用ホルダー」が開示されている。この不正防止用ホルダーは、携帯電話を収納可能な収納袋に、出し入れ口を閉塞する粘着テープ等の閉塞手段と、この収納袋を受験者の首に掛ける紐体等の装着手段等が設けられている。受験者は、携帯電話を収納袋に収納し粘着テープで出し入れ口を閉じた状態で収納袋を首に掛けて受験する。仮に粘着テープを剥がして携帯電話を取り出すような行為をすれば、試験監督者から発見されやすいというものである。
【先行技術文献】
【特許文献】
【０００３】
【特許文献１】特許第４７９１０７８号公報
【発明の概要】
【発明が解決しようとする課題】
【０００４】
特許文献１の収納袋は、粘着テープを一度剥がすと再度の貼り付けが困難であることから、粘着テープを剥がして携帯電話を取り出した痕跡が残り、事後的に不正行為を発見することができる。しかしながら、悪質な受験者が、粘着テープを剥がした後に別の接着剤を塗布して再貼り付けし、開封の痕跡を隠滅したり、或いは、構造が比較的簡単である収納袋自体を偽造したりするおそれがある。
【０００５】
本発明は、上述の問題に鑑みてなされたものであり、その目的は、開封の痕跡を確実に残し、且つ、偽造品の製作を防止する携帯電話封印キットを提供することにある。
【課題を解決するための手段】
【０００６】
本発明の携帯電話封印キットは、筐体と、封印手段とを備える。
筺体は、剛性を有し、内部に携帯電話を収納可能であり、収納した携帯電話を外部から操作不能とする。ここで「剛性」とは、例えば、シート材で形成された「袋」と比べ、内部に収納した携帯電話のボタンをシート越しに操作することが不能な程度に形状を維持する堅さを意味し、撓み程度の変形をすることを排除するものではない。具体的には、数ミリ程度の肉厚を有する樹脂製の筐体は、剛性を有する筐体に含まれる。
封印手段は、樹脂成形品で構成され、筺体に収納された携帯電話を取り出し不能に封印可能であり、且つ、開封時に一部が破壊されることを特徴とする。ここで「破壊」とは、例えば接続部等が折損し、原状復帰が不可能となる状態をいう。
【０００７】
このように、本発明の携帯電話封印キットは、携帯電話を取り出すとき、樹脂成形品である封印手段の一部が破壊され、原状復帰が不可能となる。よって、開封の痕跡を確実に残すことができる。
また、封印手段は、樹脂成形品で構成されるため、比較的複雑な形状とすることが容易である。よって、受験者等による偽造品の製作を可及的に防止することができる。
【０００８】
本発明を、例えば試験中における不正行為の防止用として用いる場合、開封の痕跡を確実に残すことができれば、試験監督者は、試験終了時に各受験者の机を巡回して不正行為を発見することができる。そのため、試験中、受験者の一挙一動を絶えず監視しなければならないという負担を軽減することができる。また、従来技術のように収納袋を受験者の首に掛けさせなくても、携帯電話封印キットを机上に置いておくだけで不正行為を発見する目的を達成することができる。したがって、受験者にとっては、携帯電話の重量が試験中、常に首に掛かっているという負担から解放される。
【０００９】
また、本発明の別の態様による封印手段として、基材の一方の面に貼付転写層が形成されたステッカーを採用してもよい。このステッカーは、開封時に、筐体及び当該ステッカー裏面の双方に剥離跡を残すことで、開封の痕跡を確実に残すことができる。
さらに、筐体又は封印手段には、個体毎に異なる識別番号が付されることが好ましい。これにより、正規品が偽造品とすり替えられることをより確実に防止することができる。また、事後的に不審な事実が発見された場合に、トレーサビリティ機能を発揮することができる。
【図面の簡単な説明】
【００１０】
【図１】本発明の第１実施形態による携帯電話封印キットの封印時の（ａ）平面図、（ｂ）（ａ）のｂ−ｂ線断面図である。
【図２】本発明の第１実施形態による収納箱の（ａ）平面図、（ｂ）正面図である。
【図３】本発明の第１実施形態による封印具（ブッシング及び台座）の封印時の（ａ）平面図、（ｂ）断面図、（ｃ）底面図である。
【図４】本発明の第１実施形態による封印具（ブッシング及び台座）の開封時の（ａ）断面図、（ｂ）底面図である。
【図５】本発明の第１実施形態による収納箱を積み重ねた状態を示す図２のＶ−Ｖ線断面図である。
【図６】本発明の第１実施形態による携帯電話封印キットの使用方法を説明するフローチャートである。
【図７】本発明の第２実施形態による携帯電話封印キットである封印ケースの封印時の（ａ）正面図、（ｂ）側面図である。
【図８】本発明の第２実施形態による封印ケースを構成するキャップの（ａ）正面図、（ｂ）側面図、及び、ベースの（ｃ）正面図、（ｄ）側面図である。
【図９】本発明の第２実施形態による封印ケースの（ａ）封印時の要部拡大断面図、（ｂ）開封時の要部拡大断面図である。
【図１０】本発明の第２実施形態による封印ケースの使用方法を説明するフローチャートである。
【図１１】本発明の第１実施形態の変形例による一体式封印具の斜視図である。
【図１２】本発明の第１実施形態の変形例による一体式封印具の装着方法を示す斜視図である。
【図１３】その他の実施形態による携帯電話封印キットの封印時の（ａ）平面図、（ｂ）（ａ）のｂ−ｂ線断面図である。
【図１４】ステッカー裏面から視た剥離痕の模式図である。
【図１５】ステッカー表面から視た剥離痕の模式図である。
【発明を実施するための形態】
【００１１】
以下、本発明の複数の実施形態による携帯電話封印キットを図面に基づいて説明する。携帯電話封印キットは、複数の部品一式で構成される。ここで、「携帯電話」には、ＰＨＳ端末やスマートフォン等、通話機能やメールの送受信機能を有する携帯端末機器全般を含むものとする。また、「携帯電話」のサイズは、一般的に市場に流通している機器のサイズを想定する。
【００１２】
以下の第１、第２実施形態による携帯電話封印キットは、例えば入学試験、検定試験、資格試験等の試験会場において、受験者が試験中に携帯電話を使用することを防止し、また、試験中に携帯電話を使用した事実を確実に発見することを目的として用いられる。
ここで、「携帯電話を使用する行為」には、通話及びメールの送受信操作等の行為全般を含む。また、実際に通話等をしていない場合であっても、収納箱や封印ケースを開封する行為や開封しようとする行為は、「携帯電話を使用する行為」とみなすものとする。
以下の複数の実施形態の説明において、実質的に同一の構成には同一の符号を付して説明を省略する。
【００１３】
（第１実施形態）
本発明の第１実施形態による携帯電話封印キットについて、図１〜図６を参照して説明する。図１に示すように、携帯電話封印キット５は、「筐体」としての収納箱５００、及び、独立した「封印手段」としての封印具１００を備える。収納箱５００は、不透明なケース５０及びカバー５５からなり、ケース５０に携帯電話９を収納した後、カバー５５を閉じることにより、受験者等は、内部の携帯電話９を操作したり表示を見たりすることができなくなる。封印具１００は、ケース５０及びカバー５５の留め部５２、５７に装着され、収納箱５００に収納した携帯電話９を取り出し不能に封印する。
【００１４】
収納箱５００の詳細な構成について図２を参照して説明する。収納箱５００は、不透明な樹脂材料で成形されたケース５０及びカバー５５が組み合わされている。このケース５０及びカバー５５は、剛性を有する、いわゆるハードケース及びハードカバーである。
ケース５０は、平面視にて略長方形状の本体部５１、本体部５１の一辺から突出した留め部５２、及び、留め部５２と反対側の辺に沿って設けられたヒンジ部５３を含む。本体部５１は、カバー５５との合わせ面をなす縁部５１１に対し陥没した凹部５１２を有している。凹部５１２の大きさ及び深さは、携帯電話９を収納可能に設定されている。
【００１５】
カバー５５は、ケース５０と同様、平面視にて略長方形状の本体部５６、本体部５６の一辺から突出した留め部５７、及び、留め部５７と反対側の辺に沿って設けられたヒンジ部５８を含む。ヒンジ部５８がケース５０のヒンジ部５３と同軸に結号されることで、カバー５５は、ヒンジ部５３、５８を支点としてケース５０に対し回転可能に結合される。カバー５５がケース５０に対し回転することで、収納箱５００は開閉する。
【００１６】
本体部５６は、ケース５０との合わせ面をなす縁部５６１に対し、ケース５０の凹部５１２よりも浅く陥没した凹部５６２を有している。図１に示すように、収納箱５００が閉じたとき、縁部５１１、５６１同士が当接するとともに、カバー５５の凹部５６２がケース５０の凹部５１２の口元に嵌り込む。
また、カバー５５を閉じたとき上から見えるように、個体毎に異なる識別番号ＩＤが刻印等によって付されている。
【００１７】
ケース５０及びカバー５５の留め部５２、５７は、それぞれ縁部５１１、５６１と同一面をなし、収納箱５００が閉じたとき互いに当接する。留め部５２、５７には、互いに当接したとき一致する位置に挿通穴５２１、５７１が形成されている（図３、図４参照）。挿通穴５２１、５７１の内径は、後述する台座１５の挿入部１７の外径より大きく、且つ、ブッシング１０の外径より小さく設定されている。
【００１８】
封印具１００の詳細な構成について図３、図４を参照して説明する。封印具１００は、樹脂材料で成形されたブッシング１０及び台座１５の２部品で構成されている。図３は、ブッシング１０を台座１５に押し込み、収納箱５００の留め部５２、５７を互いに離間不能に固定した状態を示す。一方、図４は、台座１５の突起部１６と座部１９とを接続する接続リブ１９２を折損させることで突起部１６と座部１９とを分断し、収納箱５００を開封可能とした状態を示す。
【００１９】
ブッシング１０は、略円筒状であり、図３（ｂ）下側に小径穴１１、図３（ｂ）上側に大径穴１２が形成されている。大径穴１２と小径穴１１との境界は段部１１２となっている。小径穴１１の口元には凹テーパ部１１１が形成されている。また、ブッシング１０の大径穴１２側の端部には、受験者等が指等で押圧する面積を確保するために鍔部１３が形成されている。
【００２０】
台座１５は、板状の座部１９と、座部１９から突起する突起部１６とを有している。突起部１６は、先端側の挿入部１７と、基端側であって挿入部１７より小径の柱部１８とからなっており、挿入部１７と柱部１８との境界には係止部１７２が形成されている。挿入部１７の先端には凸テーパ部１７１が形成されている。
【００２１】
台座１５の突起部１６の外径と、ブッシング１０の小径穴１１及び大径穴１２の内径との関係について、挿入部１７の外径は、小径穴１１の内径よりわずかに大きく、大径穴１２の内径以下に設定されている。また、柱部１８の外径は、小径穴１１の内径以下に設定されている。
図３（ｂ）の上方からブッシング１０を台座１５に装着するとき、最初に挿入部１７の凸テーパ部１７１が小径穴１１の凹テーパ部１１１に当接し、ブッシング１０と台座１５とが同軸に位置決めされる。この状態でブッシング１０の鍔部１３を一般人の通常の力で押圧すると、小径穴１１が拡径し、挿入部１７が縮径する方向に変形しつつ、挿入部１７が小径穴１１を通過する。そして、係止部１７２が段部１１２に係止する。
挿入部１７の外径と小径穴１１の内径との差（締め代の２倍に相当する）は、一般人の通常の力で挿入可能であり、且つ、一旦係止部１７２が段部１１２に係止したら引っ張っても抜けないように設定されている。
【００２２】
座部１９は、柱部１８の根元の周方向に複数の分断穴１９１を有している。これにより、座部１９と柱部１８とは、分断穴１９１同士の間に設けられた複数の接続リブ１９２を介して接続されている。また、座部１９の径方向の一方側には、受験者等が指等でつかみやすいように、面積の比較的大きい把持部１９３が設けられている。
【００２３】
図３等では接続リブ１９２を４箇所に図示しているが、接続リブ１９２の数はこれに限らない。接続リブ１９２の数や幅寸法等は、柱部１８を固定して座部１９の把持部１９３を一般人が通常の力で引っ張ったとき、図４（ａ）、（ｂ）に示すように接続リブ１９２が折損し、柱部１８と座部１９とが分断される強度となるように設定されている。
また、座部１９には、上述のカバー５５と同様、個体毎に異なる識別番号ＩＤが刻印等によって付されている。
【００２４】
さらに収納箱５００の構成について図５を参照して補足する。収納箱５００は、ケース５０の凹部５１２の側壁が傾斜しており、且つ、側壁の肉厚が一定である。この側壁の傾斜は、射出成形時の抜き勾配として用いられることに加え、複数の収納箱５００を運送、保管等する際、この傾斜があることによって凹部５１２同士を積み重ねることができる。したがって、スペースを節約することができる。
【００２５】
次に、以上の構成による携帯電話封印キット５の使用方法について、図６のフローチャートを参照して説明する。以下のフローチャートの説明において、記号Ｓは「ステップ」を示す。
試験開始前、各受験者は、Ｓ５１にて携帯電話９を収納箱５００のケース５０に入れてカバー５５を閉める。続いてＳ５２にて、封印具１００の台座１５の突起部１６を留め部５２、５７の挿通穴５２１、５７１に挿通した後、ブッシング１０を台座１５に装着することで収納箱５００を封印する。この状態で、受験者は、机上に収納箱５００を置き、試験を受ける。試験中、受験者は、当然に携帯電話９を使用することができない。また、従来技術のように携帯電話９を常に首に掛けておく必要はない。
【００２６】
仮に受験者が試験監督者の見ていない隙に携帯電話９を使用しようとすれば、台座１５の座部１９の把持部１９３を引っ張って接続リブ１９２を折損し、台座１５の突起部１６と座部１９とを分断した後、突起部１６を留め部５２、５７から抜き、収納箱５００のカバー５５を開いて携帯電話９を取り出すという動作を行わなければならない。
そして、携帯電話９を使用した後、再びケース５０に収納してカバー５５を閉めたとしても、台座１５が破壊されているため、封印具１００を再び装着することができない。
【００２７】
その後、Ｓ５３にて、試験終了時に試験監督者が各受験者の収納箱５００を検査する。このとき、例えば受験番号を識別番号ＩＤとしてカバー５５や台座１５の座部１９に付しておけば、当該識別番号ＩＤと受験番号とを照合することで、収納箱５００のすり替えがなされた場合に発見することができる。
【００２８】
検査では、Ｓ５４にて封印具１００の台座１５が破壊されているか否か判断する。
台座１５が破壊されていれば（Ｓ５４：ＹＥＳ）、携帯電話９を使用した不正行為があったと推定し（Ｓ５７）、例えばその受験者を失格等の処分とする（Ｓ５８）。
一方、台座１５が破壊されていなければ（Ｓ５４：ＮＯ）、携帯電話９を使用した不正行為がなかったと推定する（Ｓ５５）。そして、試験終了後に開封を許可する（Ｓ５６）と、受験者は、封印具１００の台座１５を破壊し、携帯電話９を取り出すことができる。
【００２９】
本実施形態の携帯電話封印キット５の効果について説明する。
（１）封印具１００は台座１５を破壊しない限り外れないため、収納箱５００から携帯電話９を取り出した場合には、台座１５の破壊という原状復帰可能な痕跡を確実に残すことができる。したがって、試験中の不正行為を確実に発見することができる。また、不正行為が必ず見つかるという認識を受験者に持たせることで、不正行為の動機を未然に滅失させる抑止効果を奏することができる。
【００３０】
（２）本実施形態では、封印具１００及び収納箱５００は、樹脂成形品で構成されている。特に封印具１００が樹脂成形品で構成されるため、比較的複雑な形状とすることが容易である。よって、受験者による偽造品の製作を可及的に防止することができる。
【００３１】
（３）収納箱５００及び封印具１００に識別番号ＩＤが付されているため、受験者は、自分の収納箱５００を他の受験者の収納箱５００や偽造した複製品とすり替えることが困難となり、不正行為への抑止効果を高めることができる。
また、試験終了後に回収した収納箱５００又は封印具１００から不審な事実が発見された場合に、トレーサビリティ機能を発揮する。
（４）収納箱５００は不透明な樹脂材料で成形されているため、内部に収納した携帯電話９の画面表示を見ることができない。よって、試験中の不正行為の防止に役立つ。
【００３２】
（５）本実施形態の封印具１００は収納箱５００とは別体に設けられているため、次回の試験時に、封印具１００のみ新しいものと交換し、収納箱５００は再利用することができる。すなわち、本実施形態の携帯電話封印キットは「リユース型」である。
（６）収納箱５００のケース５０は、凹部５１２が積み重ね可能な形状に形成されているため、運送や保管のスペースを節約することができる。
【００３３】
（第２実施形態）
次に、本発明の第２実施形態による携帯電話封印キットについて、図７〜図１０を参照して説明する。第２実施形態の用途は第１実施形態と同一であり、機能の一部が異なる。すなわち、第１実施形態がリユース型であるのに対し、第２実施形態は「使い捨て型」であることを特徴とする。以下の説明において、第１実施形態と実質的に同一の構成には同一の符号を付して説明を省略する。
【００３４】
図７に示すように、「携帯電話封印キット」且つ「筐体」としての収納ケース６は、不透明な樹脂材料で成形された、「第１筒体」としてのキャップ６０、及び「第２筒体」としてのベース６５からなる。キャップ６０及びベース６５は、互いの開口を覆うように結合可能である。封印ケース６は、キャップ６０に一体に形成された係止爪６２１、及びベース６５に設けられた受け穴６７が「封印手段」を構成する点で、独立した封印具１００を別に備える第１実施形態と異なる。
封印ケース６は、ベース６５に携帯電話９を収納した後、キャップ６０をベース６５に被せると同時に係止爪６２１が受け穴６７に係止し、封印される。これにより、受験者等は、内部の携帯電話９を操作したり表示を見たりすることができなくなる。
【００３５】
キャップ６０及びベース６５の詳細な構成について図８を参照して説明する。キャップ６０及びベース６５は、いずれも有底の筒体であって、剛性を有する。キャップ６０とベース６５とが組み合わされることによって、「収納箱」を構成する。
キャップ６０は、両側壁６１からベース６５側に突出する、「分離部」としての一対のアーム６２が設けられている。アーム６２の内側には、係止爪６２１が形成されており、アーム６２の先端には、Ｌ字状に外側に曲がった把持部６３が形成されている。アーム６２の根元である接続部６４は、肉薄に形成されている。
また、キャップ６０の表面には、第１実施形態と同様に識別番号ＩＤが付されている。
【００３６】
ベース６５は、両側壁６６に受け穴６７が形成されている。図８等では、受け穴６７は側壁６６の肉厚を貫通するように図示されているが、肉厚を貫通しない有底の穴として形成されてもよい。受け穴６７は、キャップ６０をベース６５に被せたとき、アーム６２の係止爪６２１が嵌合する位置に形成されている。
【００３７】
詳しくは図９（ａ）に示すように、係止爪６２１は、図の下方から上方に向かって内側に傾斜する傾斜面６２２と、側壁６６に略直交する係止面６２３とを有している。
図９（ａ）の上方からキャップ６０をベース６５に被せるとき、キャップ６０を一般人の通常の力で押圧すると、傾斜面６２２がベース６５の側壁６６に倣って押し下げられ、アーム６２が外側に広がるように変形しつつ側壁６６の上部を通過する。そして、係止爪６２１が受け穴６７に嵌合して係止される。これにより、封印ケース６は封印される。
【００３８】
封印ケース６を開封するときは、図９（ｂ）に示すように、アーム６２の把持部６３をつかみ、一般人の通常の力で引き上げるか、又は捻ると、肉薄の接続部６４が折損し、アーム６２がキャップ６０から分離する。そこで、ベース６５からキャップ６０を取り外し、ベース６５内の携帯電話９を取り出すことができる。
【００３９】
次に、以上の構成による封印ケース６の使用方法について、図１０のフローチャートを参照して説明する。
試験開始前、各受験者は、Ｓ６１にて携帯電話９をベース６５に入れる。続いてＳ６２にて、キャップ６０をベース６５に被せると同時に、アーム６２の係止爪６２１が受け穴６７に係止されることで封印ケース６を封印する。この状態で、受験者は、机上に封印ケース６を置き、試験を受ける。試験中、受験者は、当然に携帯電話９を使用することができない。また、従来技術のように携帯電話９を常に首に掛けておく必要はない。
【００４０】
仮に受験者が試験監督者の見ていない隙に携帯電話９を使用しようとすれば、アーム６２の把持部６３を引き上げるか捻ることにより接続部６４を折損し、アーム６２をキャップ６０から分離した後、キャップ６０をベース６５から取り外して携帯電話９を取り出すという動作を行わなければならない。
そして携帯電話９を使用した後、再びベース６５に収納してキャップ６０を被せたとしても、アーム６２の根元である接続部６４が折損しているため、封印ケース６を封印することができない。
【００４１】
その後、Ｓ６３にて、試験終了時に試験監督者が各受験者の封印ケース６を検査する。識別番号ＩＤの利用については第１実施形態と同様である。
検査では、Ｓ６４にてキャップ６０のアーム６２の根元である接続部６４が折損しているか否か判断する。Ｓ６５〜Ｓ６８は、第１実施形態のＳ５５〜Ｓ５８と同様である。
【００４２】
第２実施形態の封印ケース６は、第１実施形態の効果（１）〜（４）と同様の効果を奏する。また、キャップ６０をベース６５に被せると同時に封印を一動作で行うことができるため、利便性が向上する。さらに、使い捨て型であるため、毎回の試験において「新作」を使用する可能性が必然的に高くなる。そこで、例えば成形型を修正して形状の一部を変更したり、樹脂材料の色を変更したりすることで、再受験者が以前の経験に基づいて偽造品を製作することがより困難となる。
【００４３】
（その他の実施形態）
（ア）（第１実施形態の変形例）
第１実施形態の封印具１００は、ブッシング１０及び台座１５が別部品で形成されている。これに対し、図１１に示すように、ブッシング１０及び台座１５を連結ヒンジ１４で連結した一体式の封印具１４０を採用してもよい。
図１２に示すように、封印具１４０は、連結ヒンジ１４が留め部５２、５７の端部５４を跨ぐように収納箱５００に装着され（ａ）、収納箱５００を封印する（ｂ）。開封時には、把持部１９３を引っ張ることで接続リブ１９２を折損させる（ｃ）。これにより、開封の痕跡を確実に残すことができる。
この形態では封印具１４０が一体式であるため、部品の管理等が容易となる。
【００４４】
（イ）第１実施形態に対し、１つの収納箱５００に対して複数の封印具１００を用いて封印するようにしてもよい。例えば、受験者の意図に反して収納箱５００を机等にぶつけたり落としたりした結果、台座１５に力が加わって破壊する可能性が無いとは言えない。このような場合にまで善良な受験者を失格させるのは酷であるとも考えられる。そこで、複数の封印具１００の全ての台座が破壊されていた場合のみ、故意に不正行為がなされたと推定することにより、偶発的な破損の場合をも不正行為とみなす過剰な管理を抑制することができる。
【００４５】
（ウ）「封印手段と別体の筐体」である封印箱は、第１実施形態のような樹脂成形品に限らず、金属、木、厚紙等の「剛性を有する」材質で形成されてもよい。
（エ）第２実施形態では、「第１筒体」及び「第２筒体」としてのキャップ６０及びベース６５は、携帯電話９の上下方向に分割されている。その他、携帯電話９の左右方向、又は前後方向に分割するように「第１筒体」及び「第２筒体」を構成してもよい。
（オ）収納箱、封印ケース等に識別番号を付す位置や方法は上記実施形態の例に限らない。例えば、バーコードが印刷されたシールを貼り付ける方法や、ＩＣチップを埋め込む等の方法を用いてもよい。
【００４６】
（カ）第１実施形態に対し、封印手段をステッカーに代え、開封による剥離痕を開封の痕跡とする実施形態について、図１３、図１４を参照して説明する。
図１３に示す携帯電話封印キット５Ｓは、ケース５０及びカバー５５の留め部５２、５７を跨いで「封印手段」としてのステッカー４０が貼り付けられている。これにより、収納箱５００は、携帯電話９を取り出し不能に封印される。このとき上方から見えるように、ステッカー４０には、個体毎に異なる識別番号ＩＤが付されている。
なお、図１３（ｂ）では、ステッカー４０の厚み方向の寸法を誇張して示している。
【００４７】
ステッカー４０を剥がすとき、ケース５０の留め部５２側は貼ったままとし、カバー５５の留め部５７側を剥がすものとする。
ステッカー４０は、基材４１の一方の面に貼付転写層４２が形成されている。貼付転写層４２は、相手面に貼り付けられるとともに、ステッカー４０を剥がしたとき、相手面に所定の文字や形状を転写するものである。また、相手面に転写されない部分がステッカー４０の裏面に現れ、ステッカー表面からもその剥離痕を確認することができる（図１４、１５参照）。すなわち、写真のポジとネガの関係のように、相手面である留め部５７の表面、及びステッカー裏面の双方に剥離痕が残る。
【００４８】
ステッカー４０を剥がすとき、図１４、１５に示すように、貼付転写層４２の一部は基材４１側に付随して剥離し、一部は相手面に残って転写される。これにより、例えば「開封済」という文字がポジの剥離痕４３として相手面に転写されるとともに、ネガの剥離痕４４としてステッカー４０の裏面に現れる。よって、ステッカー４０が剥がされたことが一目瞭然となる。ここで、転写されるものは、文字に限らず英数字、ロゴ、イラスト、模様等でもよい。
【００４９】
一度剥がされた貼付転写層４２は、もはや貼付力が低下している。仮にステッカー４０を別の接着材にて貼付けても、ステッカー表面から剥離痕４３、４４を確認することができるため、不正が行われたことが明確となる。ステッカー４０を剥がすことで、収納箱５００を開き、内部に収納した携帯電話９を取り出すことができる。
なお、ケース５０の留め部５２からステッカー４０を剥がした場合も同様である。或いは、ステッカー４０の折り返し部分をはさみ等で切断した場合は、切断という形での開封の痕跡が残る。
【００５０】
この形態では、封印手段をより簡易な構成で実現することができる。また、特許文献１の「不正防止用ホルダー」は、単に粘着テープを剥がした後、再度の貼り付けが困難となるというものにすぎず、積極的に剥離痕を形成するものではない。それに対し本実施形態では、ステッカー４０を剥離したとき、相手面及びステッカー裏面の双方に剥離痕４３、４４を残すことで、開封の痕跡を確実に残すことができる。
【００５１】
（キ）本発明の携帯電話封印キットは、試験に限らず、例えば、情報漏洩防止のため来客によるカメラ付きの携帯電話の持込を禁止している民間企業の事業所や研究所等の守衛所において使用することもできる。すなわち、来客が入場前に携帯電話を収納箱や封印ケースに入れ、出場時に開封されていないことをチェックするといった使い方ができる。
以上、本発明はこのような実施形態に限定されるものではなく、発明の趣旨を逸脱しない範囲において、種々の形態で実施することができる。
【符号の説明】
【００５２】
１００、１４０・・・封印具（封印手段）、
４０  ・・・ステッカー（封印手段）、
５、５Ｓ  ・・・携帯電話封印キット、
５００・・・収納箱（筐体）、
５０  ・・・ケース、  ５５  ・・・カバー、
６    ・・・封印ケース（携帯電話封印キット、筐体）、
６０  ・・・キャップ（第１筒体）、  ６２１・・・係止爪（封印手段）、
６５  ・・・ベース（第２筒体）、    ６７  ・・・受け穴（封印手段）、
９    ・・・携帯電話。
【図１】
2014161571.tif 000003
【図２】
2014161571.tif 000004
【図３】
2014161571.tif 000005
【図４】
2014161571.tif 000006
【図５】
2014161571.tif 000007
【図６】
2014161571.tif 000008
【図７】
2014161571.tif 000009
【図８】
2014161571.tif 000010
【図９】
2014161571.tif 000011
【図１０】
2014161571.tif 000012
【図１１】
2014161571.tif 000013
【図１２】
2014161571.tif 000014
【図１３】
2014161571.tif 000015
【図１４】
2014161571.tif 000016
【図１５】
2014161571.tif 000017